(57)【要約】【課題】低消費電力化とした高周波受信装置を提供することを目的とする。【解決手段】利得制御器５４、５６、６３からそれぞれ出力された第１、第２、第３の利得制御電圧が入力される受信品質検出器６９と、この受信品質検出器６９から出力される判定信号が供給される電流制御器６７とを設けることにより、受信品質検出器６９により受信条件を判定し、この受信条件に基づいて電流制御器６７により少なくとも増幅器４３の電流を制御する。【選択図】図１
2008160788.tif 000002
【特許請求の範囲】
【請求項１】
アンテナからの高周波信号が第１の入力端子を介して供給される第１の増幅器と、この第１の増幅器の出力信号が一方の入力に供給される混合器と、この混合器の他方の入力に接続される発振器と、前記混合器の出力が供給される第２の増幅器と、この第２の増幅器の出力信号が供給される第１の出力端子と、前記混合器からの出力信号が供給されるとともに第１の利得制御電圧により前記第1の増幅器を利得制御する第1の利得制御器と、前記第２の増幅器からの出力信号が供給されるとともに第２の利得制御電圧により前記第２の増幅器を利得制御する第２の利得制御器とを備え、少なくとも前記第１、第２の利得制御電圧が入力されるとともに受信条件を判定する受信品質検出器と、この受信品質検出器からの出力信号が一方の入力に供給されるとともに少なくとも前記第１の増幅器の電流値を制御する電流制御器とが設けられた高周波受信装置。
【請求項２】
受信品質検出器には、第１、第２の利得制御電圧を比較判定する基準電圧が入力できる基準電圧用入力端子が設けられた請求項１に記載の高周波受信装置。
【請求項３】
第１、第２の利得制御器から出力される利得制御電圧がそれぞれのＤＡＣ（デジタルアナログコンバータ）によりデジタル信号とされ、これらデジタル信号がＩ２Ｃバスラインを用いて受信品質検出器に入力される請求項１に記載の高周波受信装置。
【請求項４】
混合器をダイレクトコンバージョンとした請求項１に記載の高周波受信装置。
【請求項５】
第１の入力端子と第１の増幅器との間に高周波増幅器を挿入し、少なくとも前記高周波増幅器の電流が電流制御器により制御される請求項１に記載の高周波受信装置。
【請求項６】
第２の利得制御器への入力は第２の増幅器からの出力信号の代わりに前記デジタル用復調器への入力信号が供給される請求項１に記載の高周波受信装置。
【請求項７】
受信品質検出器が、少なくとも第１、第２の増幅器の利得がそれぞれほぼ最小、ほぼ最大と判定した場合には、電流制御器により少なくとも前記第１の増幅器の電流値を大きく設定する請求項１に記載の高周波受信装置。
【請求項８】
受信品質検出器が、少なくとも第１、第２の増幅器の利得がともにほぼ最小と判定した場合には、電流制御器により少なくとも前記第１の増幅器の電流値を大きく設定する請求項１に記載の高周波受信装置。
【請求項９】
受信品質検出器が、少なくとも第１、第２の増幅器の利得がそれぞれほぼ最大、最小〜最大と判定した場合には、電流制御器により少なくとも前記第１の増幅器の電流値を小さく設定する請求項１に記載の高周波受信装置。
【請求項１０】
第２の増幅器からの出力信号が供給される復調部を備え、この復調部は、前記第２の増幅器からの信号が供給される第３の増幅器と、この第３の増幅器の出力信号が供給されるとともに復調信号を出力するデジタル用復調器と、このデジタル用復調器からの復調信号が出力される第２の出力端子と、前記デジタル用復調器への入力信号が供給されるとともに前記第３の増幅器を第３の利得制御電圧により利得制御する第３の利得制御器とを設け、受信品質検出器には少なくとも第１、第２、第３の利得制御電圧のいずれかが入力される請求項１に記載の高周波受信装置。
【請求項１１】
電流制御器の他方の入力には、デジタル用復調器から出力されるＢＥＲ（ビットエラーレート）をＢＥＲ基準値と比較・判定するＢＥＲ判定器を設け、このＢＥＲ判定器と受信品質検出器からのそれぞれの判定信号が電流制御器に入力される請求項１０に記載の高周波受信装置。
【請求項１２】
電流制御器の他方の入力には、デジタル用復調器から出力されるＣ／Ｎ（キャリア対ノイズ）をＣ／Ｎ基準値と比較・判定するＣ／Ｎ判定器を設け、このＣ／Ｎ判定器と受信品質検出器からのそれぞれの出力信号が電流制御器に入力される請求項１０に記載の高周波受信装置。
【請求項１３】
受信品質検出器が、少なくとも第１、第２、第３の増幅器の利得がそれぞれほぼ最大、ほぼ最大、最小〜最大と判定した場合には、電流制御器により少なくとも前記第１の増幅器の電流値を小さく設定する請求項１０に記載の高周波受信装置。
【発明の詳細な説明】
【技術分野】
【０００１】
本発明は、テレビ放送信号の受信条件を判定し、この受信条件に基づいて高周波受信部の電流を制御することにより低消費電力化を可能とした高周波受信装置に関するものである。
【背景技術】
【０００２】
以下、従来の高周波受信装置について説明する。図４に示すように、従来の高周波受信装置１は、高周波受信部２と、この高周波受信部２の出力に接続された復調部３とで構成されていた。
【０００３】
高周波受信部２では、アンテナ４で受信された信号が入力端子２ａを介して増幅器６に供給される。この増幅器６により利得制御された信号が、混合器７の一方の入力に供給される。また、他方の入力には発振器８の出力信号が供給される。この混合器７から出力される周波数変換された信号は、増幅器９で利得制御されて、出力端子１０から出力される。
【０００４】
そして、この出力端子１０からの出力信号は、増幅器１１で利得制御される。この増幅器１１から出力される信号は、デジタル用復調器１２に供給されたのち、出力端子１３から復調された信号が出力される。
【０００５】
なお、この出願の発明に関連する先行技術文献情報としては、例えば、特許文献１が知られている。
【特許文献１】特開２００６−１２９１６１号公報
【発明の開示】
【発明が解決しようとする課題】
【０００６】
しかしながら、従来の高周波受信装置１では、希望信号に近接した周波数で、かつ大きなレベルの妨害信号が入力端子２ａから入力されると、増幅器６あるいは混合器７が、この大きなレベルの妨害信号によって妨害を受けてしまう。
【０００７】
例えば、デジタル放送信号の受信時においては大きなレベルのアナログ放送信号により妨害が発生した。この妨害の改善のため、増幅器６あるいは混合器７には大きな電流を流す必要がある。このため、高周波受信装置１において、低消費電力化ができないという問題があった。
【０００８】
そこで、本発明は、この問題を解決したもので、低消費電力化とした高周波受信装置を提供することを目的としたものである。
【課題を解決するための手段】
【０００９】
この目的を達成するために、少なくとも第１、第２の利得制御電圧が入力されるとともに受信条件を判定する受信品質検出器と、この受信品質検出器からの出力信号に基づいて電流値を制御する電流制御器とを設ける。
【００１０】
これにより、所期の目的を達成することが可能となる。
【発明の効果】
【００１１】
以上のように、少なくとも第１、第２の利得制御電圧が入力されるとともに受信条件を判定する受信品質検出器と、この受信品質検出器からの出力信号に基づいて電流値を制御する電流制御器とを設ける。
【００１２】
これにより、受信品質検出器では、少なくとも第１、第２の利得制御電圧を用いて受信条件を判定することができる。この判定信号が供給される電流制御器により、高周波受信部の電流値を制御する。この結果、低消費電力化とした高周波受信装置を実現できる。
【００１３】
また、第１、第２の利得制御電圧は、移動受信中において受信条件が変化した場合であっても追従性が非常に良好である。この利得制御電圧を用いる受信品質検出器では、瞬時に受信条件の判定が可能となる。従って、刻々と受信状況が変化する高速移動中であっても良好な受信品質を実現できる。
【発明を実施するための最良の形態】
【００１４】
（実施の形態１）
以下、本発明の実施の形態１について、図１を用いて説明する。図１は、高周波受信装置２１のブロック図である。本発明の実施の形態では一実施例として、デジタル方式のテレビ放送信号を受信する高周波受信装置２１について説明する。
【００１５】
この高周波受信装置２１は、高周波受信部２３と、この高周波受信部２３の出力が接続された復調部２４と、高周波受信部２３の電流値を制御する受信品質制御部２５から構成されている。
【００１６】
以下、高周波受信部２３の構成について説明する。この高周波受信部２３には、アンテナ２６の接続された入力端子２３ａと出力端子２３ｂとが設けられている。入力端子２３ａと出力端子２３ｂの間には、入力端子２３ａ側から順に、受信周波数域を通過させる固定のフィルタ４２と、利得制御入力４３ａにより利得制御の可能な増幅器４３と、増幅器４３の出力が接続されるとともに受信周波数域を通過させるフィルタ４４と、このフィルタ４４の出力が一方の入力４５ａに供給される混合器４５と、周波数変換された出力信号を通過させるとともに希望信号以外の妨害信号を抑圧するフィルタ４６と、利得制御入力４７ａにより利得制御の可能な増幅器４７と、希望信号以外の妨害信号を抑圧するフィルタ５０と、増幅器５１が接続されている。
【００１７】
また、混合器４５の他方の入力４５ｂには、発振器４８の出力が接続されている。この発振器４８には、ＰＬＬ回路４９の出力４９ａから出力される制御電圧が供給されている。このＰＬＬ回路４９の入力４９ｂには、入力端子２３ｃから入力される制御データが供給されており、この制御データにより、発振周波数を可変できる。
【００１８】
なお、フィルタ４２、４４は、希望信号を通過させる同調周波数を可変できるバンドパスフィルタとしてもよい。すなわち、フィルタ４２、４４の同調周波数は、ＰＬＬ回路４９の出力４９ａから出力される制御電圧により可変できる。この場合、妨害信号に対する抑圧量が大きくでき、妨害特性が改善される。また、フィルタ４２あるいは４４は、削除して用いてもよい。これにより、回路を簡素化できる。
【００１９】
さらに、混合器４５の出力信号は、フィルタ４６に入力されるとともに、利得制御電圧を出力する利得制御器５４に入力される。この利得制御電圧は、増幅器４３の利得制御入力４３ａに供給されている。
【００２０】
また、増幅器４７の出力信号は、フィルタ５０に入力されるとともに、利得制御電圧を出力する利得制御器５６に入力される。この利得制御電圧は、増幅器４７の利得制御入力４７ａに供給されている。なお、利得制御器５６への入力は、フィルタ５０の出力信号を用いてもよい。これにより、妨害信号の影響を小さくできる。
【００２１】
さらに、フィルタ５０の出力は、増幅器５１に入力されている。この増幅器５１の出力は出力端子２３ｂに接続されている。
【００２２】
次に、復調部２４の構成について説明する。この復調部２４には、入力端子２４ａと出力端子２４ｂとが設けられている。この入力端子２４ａと出力端子２４ｂとの間には、入力端子２４ａから順に、利得制御入力５８ａにより利得制御の可能な増幅器５８と、Ａ／Ｄコンバータ５９と、デジタルフィルタ６０と、デジタル用復調器６１が接続されている。
【００２３】
このデジタルフィルタ６０の出力は、デジタル用復調器６１に入力されるとともに利得制御器６３に入力される。この利得制御器６３から出力される利得制御電圧は、増幅器５８の利得制御入力５８ａに供給されている。
【００２４】
次に、受信品質制御部２５の構成について説明する。受信品質制御部２５は、ＢＥＲ判定器６６と、受信品質検出器６９と、ＢＥＲ判定器６６の出力と受信品質検出器６９の出力が入力６７ａ、６７ｂにそれぞれ入力されている電流制御器６７とから構成されている。
【００２５】
このＢＥＲ判定器６６の入力６６ａには、デジタル用復調器６１の出力６１ａから出力されたＢＥＲが受信品質制御部２５に設けられた入力端子２５ａを介して入力される。ＢＥＲ判定器６６の入力６６ｂには、ＢＥＲ用基準値が入力されるＢＥＲ用入力端子２５ｂが接続されている。なお、ＢＥＲ判定器６６の代わりにＣ／Ｎ値を検出できるＣ／Ｎ検出器を用いてもよい。
【００２６】
また、受信品質検出器６９には入力６９ａ、６９ｂ、６９ｃ、６９ｄが設けられている。これら入力６９ａ、６９ｂ、６９ｃには、利得制御器５４、５６、６３から出力される利得制御電圧がそれぞれ入力されている。さらに、入力６９ｄは、受信品質制御部２５に設けられた基準電圧用入力端子２５ｃに接続されている。
【００２７】
これらの利得制御電圧は、それぞれの基準電圧と比較されることにより電圧が判定される。これらの基準電圧は、受信品質制御部２５に設けられた基準電圧用入力端子２５ｃを介して入力６９ｄから入力することができる。
【００２８】
そして、ＢＥＲ判定器６６と受信品質検出器６９からの判定信号に基づいて、電流制御器６７の出力６７ｃから出力される電流制御信号は、高周波受信部２３の制御端子２３ｄにそれぞれ接続されている。この電流制御信号は、少なくとも増幅器４３、混合器４５の電流を制御できる。
【００２９】
以上のように構成された高周波受信装置２１の動作について、図１、図２を用いて説明する。
【００３０】
最初に、高周波受信装置２１の高周波受信部２３の動作について図１を用いて説明する。
【００３１】
なお、増幅器４３の利得制御範囲は、例えば０〜−５０ｄＢｍ（入力端子２３ａでの値）としている。増幅器４７の利得制御範囲は、例えば−５０ｄＢｍ〜−９０ｄＢｍ（入力端子２３ａでの値）としている。増幅器５８の利得制御範囲は、例えば−９０ｄＢｍ（入力端子２３ａでの値）以下として説明する。
【００３２】
これら利得制御範囲は、増幅器４３、４７、５１、５８、混合器４５等の利得、雑音指数、および歪特性に応じて最適な範囲に変えることができる。
【００３３】
図１において、アンテナ２６の受信信号である高周波信号は、入力端子２３ａを介してフィルタ４２に入力される。このフィルタ４２では、受信周波数域以外の信号が抑圧される。このフィルタ４２の出力信号は、増幅器４３により利得制御された後、フィルタ４４に入力される。このフィルタ４４により受信周波数域以外の信号が抑圧されたのち、混合器４５の一方の入力４５ａに供給される。また、他方の入力４５ｂにはＰＬＬ回路４９で制御された発振器４８の出力信号が供給されている。
【００３４】
ここで、ＰＬＬ回路４９の入力４９ｂには、入力端子２３ｃを介してＰＬＬ制御用データが入力される。そして、ＰＬＬ回路４９の出力４９ａから出力される制御電圧により発振器４８の発振周波数が制御される。つまり、受信信号の中の希望信号が選局されることになる。
【００３５】
そして、混合器４５からは、例えば８ＭＨｚの中間周波数となる希望信号が出力される。この中間周波数の信号は、妨害信号が抑圧されるフィルタ４６に入力されるとともに、利得制御器５４に入力される。フィルタ４６では、固定のＢＰＦ（バンドパスフィルタ）として例えばＳＡＷフィルタを用いることができるので、近接した妨害信号を十分に抑圧できる。
【００３６】
あるいは、混合器４５からは、例えば１セグメント受信のために５００ｋＨｚの中間周波数とできる。この中間周波数の信号は、妨害信号が抑圧されるフィルタ４６として例えばＬＰＦ（ローパスフィルタ）を用いて近接した妨害信号を十分に抑圧できる。
【００３７】
さらに、利得制御器５４から出力される利得制御電圧は、増幅器４３の利得制御入力４３ａに供給される。これにより、混合器４５の出力信号が一定のレベルになるように利得制御される。
【００３８】
そして、フィルタ４６の出力信号は、増幅器４７で利得制御されたのち、フィルタ５０に供給されるとともに、利得制御電圧を出力する利得制御器５６に入力される。この利得制御電圧は、増幅器４７の利得制御入力４７ａに供給され、増幅器４７の出力信号が、一定のレベルになるように利得制御される。
【００３９】
この増幅器４７の出力信号は、フィルタ５０により妨害信号が十分に抑圧され、増幅器５１により増幅されたのち、出力端子２３ｂから出力される。
【００４０】
なお、利得制御器５６への入力は、フィルタ５０からの出力信号を供給してもよい。このフィルタ５０により妨害信号を抑圧できるので、この妨害信号による利得制御への影響を少なくできる。
【００４１】
さらに、利得制御器５６への入力は、利得制御器５６の出力信号を入力する代わりにデジタルフィルタ６０の出力信号を供給してもよい。これにより、利得制御器５６への入力信号はデジタルフィルタ６０により十分に妨害信号を除去した希望信号のみとできる。従って、希望信号レベルのみにより利得制御器５６を利得制御できることになり、妨害信号による影響をさらに少なくできる。
【００４２】
以上のように、入力端子２３ａに入力された受信信号は、増幅器４３、４７において利得制御が行われるとともに、混合器４５により周波数変換され、フィルタ４２、４４、４６、５０により妨害信号が十分に抑圧される。そして、出力端子２３ｂからは、この周波数変換された一定レベルの希望信号が出力される。
【００４３】
次に、復調部２４の動作について説明する。増幅器５８には、高周波受信部２３の出力信号が入力される。この増幅器５８により利得制御された信号は、アナログ信号をデジタル信号に変換するＡ／Ｄコンバータ５９に入力される。このＡ／Ｄコンバータ５９から出力されるデジタル信号は、デジタル処理により妨害信号が十分に抑圧されるデジタルフィルタ６０に入力される。このデジタルフィルタ６０からのデジタル信号は、ＴＳ（トランスポートストリーム）信号を出力するデジタル用復調器６１に入力される。
【００４４】
また、デジタルフィルタ６０の出力は、利得制御電圧を出力する利得制御器６３に入力される。この利得制御電圧は、増幅器５８の利得制御入力５８ａに供給される。これにより、増幅器５８は、デジタル用復調器６１への入力レベルが一定レベルになるように利得制御される。
【００４５】
次に、受信品質制御部２５のＢＥＲ判定器６６の動作について説明する。ＢＥＲ判定器６６では、ＢＥＲ用入力端子２５ｂから入力されるＢＥＲ用基準値と、デジタル用復調器６１の出力６１ａから出力されるＢＥＲとが比較・判定される。
【００４６】
このＢＥＲ判定器６６から出力される判定信号は、電流制御器６７の入力６７ａに入力されている。なお、ＢＥＲ判定器６６の代わりにＣ／Ｎ値を検出できるＣ／Ｎ検出器を用いてもよい。
【００４７】
図２は、高周波受信装置２１における入力信号２３ａにおける入力信号レベル１０１とデジタル用復調器６１の出力６１ａから出力されるＢＥＲ１０２の関係図である。
【００４８】
なお、ＢＥＲ１０２ａはエラーフリー（エラーが発生しない状態）である。ＢＥＲ１０３が２×１０-4であり、このＢＥＲ（２×１０-4）より大きい場合を、受信品質が悪い場合と判定している。
【００４９】
図２において、特性１０４は、希望信号のみを受信した場合のＢＥＲを表している。この特性１０４において、入力信号レベル１０１ｂ（−１０ｄＢｍ付近）の希望信号が入力された場合を、強電界受信レベルとして受信条件Ｄ１としている。入力信号レベル１０１ｅ（−５０ｄＢｍ）以上の希望信号レベルが入力された場合を、強電界受信レベルとして受信条件Ｄとしている。入力信号レベル１０１ｅ（−５０ｄＢｍ）〜入力信号レベル１０１ｃ（−９０ｄＢｍ）の希望信号レベルが入力された場合を、中電界受信レベルとして受信条件Ｅとしている。入力信号レベル１０１ｃ（−９０ｄＢｍ）以下の希望信号が入力された場合を、弱電界受信レベルとして受信条件Ｆとしている。入力信号レベル１０１ａ（−１１０ｄＢｍ付近）の希望信号が入力された場合を微弱電界受信レベルとして受信条件Ｆ１としている。
【００５０】
例えば、受信条件Ｆにおいて、入力信号レベル１０１ｃ（−９０ｄＢｍ）では、ＢＥＲ１０２ｂとなり、入力信号レベル１０１ａ（−１１０ｄＢｍ）では、さらにＢＥＲが劣化している。これは、アンテナ２６で受信された信号が微弱であり、さらに高周波受信部２３の雑音指数の影響によるものである。
【００５１】
また、受信条件Ｄの入力信号レベル１０１ｄ（−２０ｄＢｍ）より大きい入力信号レベルでは、ＢＥＲが劣化している。これは、高周波受信部２３に対して、大きな希望信号レベルが入力されたために歪が発生したものである。特に、入力信号レベル１０１ｂ（−１０ｄＢｍ）以上の信号が入力されると、主に増幅器４３あるいは混合器４５による歪の影響が大きく現れる。
【００５２】
特性１０５は、希望信号とともに、この希望信号より略４０ｄＢｍ大きい妨害信号を受信した場合のＢＥＲを表している。この特性１０５について以下説明する。
【００５３】
受信条件Ｃは、入力信号レベル１０１ｃ（−９０ｄＢｍ付近）の希望信号とともに大きな妨害信号（−５０ｄＢｍ）が入力される場合とする。この場合には、妨害信号（−５０ｄＢｍ）により、ＢＥＲ１０２ｂからＢＥＲ１０２ｃと劣化している。
【００５４】
受信条件Ｂは、入力信号レベル１０１ｆ（−７５ｄＢｍ）の希望信号とともに大きな妨害信号（−３５ｄＢｍ）が入力される場合とする。この場合には、妨害信号（−３５ｄＢｍ）により、ＢＥＲ１０２ａからＢＥＲ１０２ｅに劣化している。
【００５５】
受信条件Ａは、入力信号レベル１０１ｅ（−５０ｄＢｍ）の希望信号とともに大きな妨害信号（−１０ｄＢｍ）が入力される場合とする。この場合には、妨害信号（−１０ｄＢｍ）により、ＢＥＲ１０２ｄに劣化する。これは、希望信号より略４０ｄＢｍ大きい妨害信号が入力されるので、増幅器４３、混合器４５において、歪が発生するためである。
【００５６】
以上のようにして、微弱電界受信レベルの希望信号が入力される受信条件Ｆ１、強電界受信レベルの希望信号が入力される受信条件Ｄ１、希望信号に対して大きな妨害信号が入力される受信条件Ａでは、ＢＥＲが悪くなる。このＢＥＲは、ＢＥＲ判定器６６によりＢＥＲ用基準値（２×１０-4）と比較・判定される。
【００５７】
このＢＥＲ判定器６６からの判定信号は、電流制御器６７に入力される。この電流制御器６７から出力される電流制御信号を用いて、高周波受信部２３を構成する例えば増幅器４３、あるいは混合器４５、あるいは発振器４８の電流値を大きく設定する。これにより、増幅器４３、あるいは混合器４５の妨害特性あるいは雑音指数を改善することができる。従って、受信条件Ａ、Ｄ１、Ｆ１でのＢＥＲを改善できる。
【００５８】
ところが、ＢＥＲ判定器６６を用いてＢＥＲを判定することは、判定精度はよいが、長い時間を要する。このため、高速移動中における判定には十分でなかった。また、大きな希望信号、微弱な希望信号、あるいは大きな妨害信号により受信品質が劣化したのかの判定が困難である。
【００５９】
これに対して、高速移動中であっても、またどんな受信条件によって受信品質が劣化したかの判定を可能とする受信品質検出器６９の動作について説明する。
【００６０】
（表１）は、高周波受信装置２１の増幅器４３、４７、５８の受信条件Ａ〜Ｆ、Ｄ１、Ｆ１における利得量の大きさと、高周波受信部２３の電流値の大きさを表している。
【００６１】
【表１】
2008160788.tif 000003
【００６２】
なお、電流値の大きさを表すＴＹＰ値とは、受信条件Ｂ、Ｃ、Ｄ，Ｅ、Ｆにおける電流値としている。
【００６３】
受信条件Ａでは、入力端子２３ａに−１０ｄＢｍの妨害信号と−５０ｄＢｍの希望信号が入力される。
【００６４】
この−１０ｄＢｍの妨害信号と−５０ｄＢｍの希望信号は、増幅器４３に入力される。この増幅器４３の利得制御範囲は、−１０ｄＢｍ〜−５０ｄＢｍ（入力端子２３ａでの値）である。この−１０ｄＢｍの妨害信号が入力される増幅器４３は、利得制御器５４の利得制御電圧により、−１０ｄＢｍの妨害信号から−５０ｄＢｍの利得制御範囲を差し引いた４０ｄＢｍの利得制御が行われ、ほぼ最小利得とされる。
【００６５】
この増幅器４３から出力される妨害信号は、フィルタ４６により大きく減衰される。このフィルタ４６から出力される希望信号と、この希望信号より小さい妨害信号は、増幅器４７に入力される。この増幅器４７に入力される希望信号は、希望信号−５０ｄＢｍから４０ｄＢｍの利得制御量を差し引いた−９０ｄＢｍ（入力端子２３ａでの値）である。この増幅器４７の利得制御範囲は、−５０ｄＢｍ〜−９０ｄＢｍ（入力端子２３ａでの値）である。このため、増幅器４７は、利得制御器５６の利得制御電圧により、ほぼ最大利得とされる。
【００６６】
さらに、増幅器４７の出力信号は、増幅器５８に入力される。この増幅器５８に入力される希望信号は、−９０ｄＢｍ（入力端子２３ａでの値）である。この増幅器５８の利得制御範囲は、−９０ｄＢｍ以下（入力端子２３ａでの値）である。このため、増幅器５８は、利得制御器６３の利得制御電圧によりほぼ最小利得とされる。
【００６７】
なお、この受信条件Ａにおいて、希望信号−５０ｄＢｍに対して、妨害信号−１０ｄＢｍ以上が入力され、かつ増幅器４３の利得制御量が４０ｄＢｍ以上ある場合には、増幅器４３では４０ｄＢｍ以上の利得制御が行われる。このため、増幅器４３から出力される希望信号は、さらに小さくなるので、増幅器５８ではほぼ最小利得からほぼ最大利得に動作が変化する。
【００６８】
次に、受信条件Ｂでは、入力端子２３ａに−３５ｄＢｍの妨害信号と−７５ｄＢｍの希望信号が入力される。
【００６９】
この−３５ｄＢｍの妨害信号と−７５ｄＢｍの希望信号は、増幅器４３に入力される。この増幅器４３の利得制御範囲は、−１０ｄＢｍ〜−５０ｄＢｍ（入力端子２３ａでの値）である。この−３５ｄＢｍの妨害信号が入力される増幅器４３は、利得制御器５４の利得制御電圧により、−３５ｄＢｍの妨害信号から−５０ｄＢｍの利得制御範囲を差し引いた１５ｄＢｍの利得制御量となってほぼ中程度の利得とされる。
【００７０】
この増幅器４３からの出力信号である妨害信号はフィルタ４６により大きく減衰される。このフィルタ４６から出力される希望信号は、増幅器４７に入力される。この増幅器４７に入力される希望信号は、希望信号−７５ｄＢｍ（入力端子２３ａでの値）から１５ｄＢｍの利得制御量を差し引いた−９０ｄＢｍである。この増幅器４７の利得制御範囲は、−５０ｄＢｍ〜−９０ｄＢｍ（入力端子２３ａでの値）である。このため、増幅器４７は、利得制御器５６の利得制御電圧により、ほぼ最大利得とされる。
【００７１】
さらに、増幅器４７の出力信号は、増幅器５８に入力される。この増幅器５８に入力される希望信号は、−９０ｄＢｍ（入力端子２３ａでの値）である。この増幅器５８の利得制御範囲は、−９０ｄＢｍ以下（入力端子２３ａでの値）である。このため、増幅器５８は、利得制御器６３の利得制御電圧によりほぼ最小利得とされる。
【００７２】
次に、受信条件Ｃでは、入力端子２３ａに−５０ｄＢｍの妨害信号と−９０ｄＢｍの希望信号が入力される。
【００７３】
この−５０ｄＢｍの妨害信号と−９０ｄＢｍの希望信号の信号が利得制御器５４に入力され、この利得制御器５４から出力される利得制御電圧が利得制御入力４３ａに入力される。このため、増幅器４３はほぼ最大利得とされる。さらに、混合器４５から出力される妨害信号は主にフィルタ４６により大きく減衰される。
【００７４】
一方、−９０ｄＢｍ（入力端子２３ａでの値）の希望信号は、ほぼ最大利得とされた増幅器４３から出力される。さらに、この−９０ｄＢｍ（入力端子２３ａでの値）の希望信号は、増幅器４７に入力される。この増幅器４７は、利得制御器５６によりほぼ最大利得とされる。さらに、この−９０ｄＢｍ（入力端子２３ａでの値）の希望信号は増幅器５８に入力される。この増幅器５８は、利得制御器６３によりほぼ最小利得とされる。
【００７５】
なお、受信条件Ｃでは、−９０ｄＢｍの希望信号に対して−５０ｄＢｍの妨害信号が入力される。この妨害信号は−５０ｄＢｍと小さいため、受信品質が劣化しないものとしている。
【００７６】
次に、受信条件Ｄでは、入力端子２３ａに−１０〜−５０ｄＢｍの希望信号のみが入力される。
【００７７】
この−１０〜−５０ｄＢｍの希望信号は、増幅器４３に入力される。この増幅器４３の利得制御範囲は、−１０ｄＢｍ〜−５０ｄＢｍ（入力端子２３ａでの値）である。このため、利得制御器５４の利得制御電圧により、増幅器４３は、ほぼ最小利得〜ほぼ最大利得となる。
【００７８】
この増幅器４３で利得制御された出力信号は増幅器４７に入力される。この増幅器４７に入力される希望信号は、−９０ｄＢｍ（入力端子２３ａでの値）である。この増幅器４７の利得制御範囲は、−５０ｄＢｍ〜−９０ｄＢｍ（入力端子２３ａでの値）である。このため、増幅器４７は、利得制御器５６の利得制御電圧により、ほぼ最小利得となる。
【００７９】
さらに、増幅器４７からの利得制御された出力信号は増幅器５８に入力される。この増幅器５８に入力される希望信号は、−９０ｄＢｍ（入力端子２３ａでの値）である。この増幅器５８の利得制御範囲は、−９０ｄＢｍ以下（入力端子２３ａでの値）である。このため、増幅器５８は、利得制御器６３の利得制御電圧によりほぼ最小利得となる。
【００８０】
なお、受信条件Ｄ１とは、入力端子２３ａに−１０ｄＢｍの希望信号のみが入力された場合である。
【００８１】
次に、受信条件Ｅは、入力端子２３ａに−５０〜−９０ｄＢｍの希望信号のみが入力される。
【００８２】
この−５０〜−９０ｄＢｍの希望信号は、増幅器４３に入力される。この増幅器４３の利得制御範囲は、０ｄＢｍ〜−５０ｄＢｍ（入力端子２３ａでの値）であるので、増幅器４３はほぼ最大利得とされる。
【００８３】
この増幅器４３から出力される希望信号は、増幅器４７に入力される。この増幅器４７の利得制御範囲は、−５０ｄＢｍ〜−９０ｄＢｍ（入力端子２３ａでの値）である。このため、増幅器４７は、利得制御器５６の利得制御電圧により、ほぼ最小利得〜ほぼ最大利得とされる。
【００８４】
さらに、増幅器４７から出力される希望信号は、増幅器５８に入力される。この増幅器５８の利得制御範囲は、−９０ｄＢｍ以下（入力端子２３ａでの値）である。このため、利得制御器６３の利得制御電圧により、増幅器５８はほぼ最小利得とされる。
【００８５】
次に、受信条件Ｆでは、入力端子２３ａに−９０ｄＢｍ以下の希望信号のみが入力される。
【００８６】
この−９０ｄＢｍ以下の希望信号は、増幅器４３に入力される。この増幅器４３の利得制御範囲は、０ｄＢｍ〜−５０ｄＢｍ（入力端子２３ａでの値）であるので、増幅器４３はほぼ最大利得とされる。
【００８７】
この増幅器４３から出力される希望信号は、増幅器４７に入力される。この増幅器４７の利得制御範囲は、−５０ｄＢｍ〜−９０ｄＢｍ（入力端子２３ａでの値）である。このため、増幅器４７は、利得制御器５６の利得制御電圧により、ほぼ最大利得とされる。
【００８８】
さらに、増幅器４７から出力される希望信号は、増幅器５８に入力される。この増幅器５８の利得制御範囲は、−９０ｄＢｍ以下（入力端子２３ａでの値）である。このため、利得制御器６３の利得制御電圧により、増幅器５８はほぼ最小利得〜最大利得とされる。
【００８９】
次に、受信条件Ｆ１では、入力端子２３ａに微弱な入力信号（例えば、略−１１０ｄＢｍ付近）の希望信号のみが入力される。これは、受信信号Ｆに包含されている。
【００９０】
このように、受信条件Ｄ１、Ｄ、Ｅ、Ｆ、Ｆ１のように希望信号のみが入力される場合には、増幅器４３、４７、５８の利得は、希望信号レベルの大きさに応じて変化していく。
【００９１】
すなわち、希望信号−９０ｄＢｍ（入力端子２３ａでの値）以下では、増幅器５８は、ほぼ最小利得〜ほぼ最大利得に変化する。さらに、希望信号−５０〜−９０ｄＢｍ（入力端子２３ａでの値）では、増幅器４７は、ほぼ最小利得〜ほぼ最大利得に変化する。そして、希望信号−１０〜−５０ｄＢｍ（入力端子２３ａでの値）では、増幅器４３は、ほぼ最小利得〜ほぼ最大利得に変化する。
【００９２】
これに対して、受信条件Ａのように−１０ｄＢｍの妨害信号と−５０ｄＢｍの希望信号が入力される場合には、大きな妨害信号により増幅器４３はそれぞれほぼ最小利得となり、これに対して増幅器４７はほぼ最大利得となる。
【００９３】
また、受信条件Ｂのように−３５ｄＢｍの妨害信号と−７５ｄＢｍの希望信号が入力される場合には、大きな妨害信号により増幅器４３は、中程度の利得となり、増幅器４７はほぼ最大利得となる。
【００９４】
つまり、受信条件Ｃ〜Ｆ、Ｄ１、Ｆ１では、増幅器４３の利得は、増幅器４７の利得より同じか大きく設定される。これに対して、受信条件Ａ、Ｂではともに、大きな妨害信号の影響により、増幅器４３の利得は、増幅器４７の利得より小さく設定される。
【００９５】
以上から明らかなように、増幅器４３、４７の利得制御電圧を受信品質検出器６９で比較・判定することにより、受信条件Ａ〜Ｆ、Ｄ１のそれぞれの判定が可能となる。
【００９６】
また、これら受信条件を検出する場合に、増幅器４３、４７、５８が制御されるそれぞれの利得制御電圧を用いてもよい。この場合には、３種類の利得制御電圧を用いるので、受信条件Ｆ１の判定が可能となる。
【００９７】
さらに、受信品質検出器６９には、基準電圧用入力端子２５ｃを設けている。この基準電圧用入力端子２５ｃからは、基準電圧値の上限値、下限値を入力できる。このため、高周波受信部２３内の利得の配分、妨害特性に対応して、受信品質検出器６９の基準電圧値を外部から容易に設定できる。このため、受信品質検出部６９における最適な判定基準の設定が可能となる。
【００９８】
以上のようにして、増幅器４３、４７、５８が制御されるそれぞれの利得制御電圧を受信品質検出器６９に入力することにより、受信条件Ａ〜Ｆ、Ｄ１、Ｆ１の判定が可能となる。
【００９９】
この受信条件Ａでは、希望信号とともに大きな妨害信号が入力端子２３ａに入力される。この大きな妨害信号により、例えば増幅器４３、混合器４５で歪が発生し、受信品質が損なわれる。
【０１００】
また、受信条件Ｄでは、大きな希望信号が入力端子２３ａに入力される。この大きな希望信号により、例えば増幅器４３、混合器４５で歪が発生し、受信品質が損なわれる。
【０１０１】
これら受信条件Ａ、Ｄに対して、受信品質検出器６９からの信号が入力される電流制御器６７により、例えば少なくとも増幅器４３、混合器４５、発振器４８のいずれかの電流値をＴＹＰより大きく設定する。これにより、増幅器４３あるいは混合器４５での歪を小さくできるので、受信品質の改善が可能となる。
【０１０２】
すなわち、受信条件Ａ、Ｄに対して、高周波受信部２３の電流値を大きくすることにより、増幅器４３あるいは混合器４５での歪を小さくし、受信品質の改善を行うことができる。
【０１０３】
さらに、受信条件Ｆ１では、入力端子２３ａには、微弱な希望信号が入力される。この場合、希望信号は、Ｃ／Ｎが劣化しているので、高周波受信部２３の雑音指数が受信感度に悪い影響を与える。
【０１０４】
この受信条件Ｆ１に対して、受信品質検出器６９からの信号が入力される電流制御器６７により、例えば少なくとも増幅器４３、混合器４５、発振器４８のいずれかの電流値をＴＹＰ値より大きく設定する。これにより、増幅器４３あるいは混合器４５の雑音指数を改善することができるので、受信感度の改善が可能となる。
【０１０５】
これに対して、受信条件Ｅでは、入力端子２３ａには、最適な入力レベルの希望信号が入力されるので、受信状態が良好である。このため、受信品質検出器６９からの信号が入力される電流制御器６７により、少なくとも増幅器４３、混合器４５、発振器４８のいずれかの電流値をＴＹＰ値より小さくすることができる。
【０１０６】
以上のように、受信品質検出器６９では、増幅器４３、４７あるいは増幅器４３、４７、５８の利得制御電圧を用いて受信条件を判定することができる。この利得制御電圧は、移動受信中において受信条件が変化した場合であっても追従性が非常に良好である。このため、受信品質検出器６９では、例えば、刻々と受信状況が変化する高速移動中であっても瞬時に受信条件の判定が可能となる。
【０１０７】
このようにして、受信条件に応じて、強電界での妨害特性を改善し、弱電界での受信感度を改善し、さらに低消費電力化を実現できる高周波受信装置２１を提供できる。
【０１０８】
なお、電流制御器６７に入力される判定信号は、受信品質検出器６９からの判定信号だけでなく、ＢＥＲ判定器６６からの判定信号の両方を用いてもよい。これにより、受信条件の判定の精度をより向上できる。
【０１０９】
さらに、利得制御器５４、５６、６３と受信品質検出器６９との間に電圧をデジタルに変換するＤＡ変換器（デジタルアナログ変換器）を挿入し（図示せず）、このＤＡ変換器から出力されるデジタル値をＩ２Ｃバスラインにより信号処理をしてもよい。この場合、共通のＩ２Ｃバスラインにより信号処置が可能となるので、配線が簡単になる。
【０１１０】
さらになお、本発明の実施の形態では、一例としてデジタル用復調器６１からのＢＥＲをＢＥＲ判定器６６に入力して用いたが、ＢＥＲ判定器６６の代わりにＣ／Ｎ値を判定できるＣ／Ｎ判定器（図示せず）を用い、このＣ／Ｎ判定器に対してデジタル用復調器６１からのＣ／Ｎ値を入力してもよい。
【０１１１】
なお、高周波受信部２３では、混合器４５をシングルスーパとして用いたが、ダイレクトコンバージョンとして用いても、同様である。すなわち、混合器４５をＩ、Ｑ信号用の２つの混合器とし、これらＩ、Ｑ信号用の混合器の他方の入力には、発振器４８からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる。つまり、低周波での信号処理となるので、集積回路化が容易となる。また、他の信号との干渉が発生しにくい。
【０１１２】
さらに、本発明の実施の形態では、一例としてデジタル方式のテレビ放送信号を受信する場合について説明したが、アナログ方式のテレビ放送信号を受信する場合においても同様である。すなわち、デジタル用の復調部２４の代わりにアナログ用の復調部２４ｃ（図示せず）を用い、ＢＥＲ判定器６６の代わりにＳ／Ｎ判定器を使用する。そして、アナログ用の復調部のＳ／Ｎ検出信号をＳ／Ｎ判定器に入力し、このＳ／Ｎ判定器の判定信号を電流制御器６７に入力することにより、同様の効果が得られる。
【０１１３】
このように、受信条件として、デジタル放送信号とアナログ放送信号の信号レベルの大小関係だけでなく、アナログ放送信号同士あるいは、デジタル放送信号同士での大小関係においても、本実施の形態の効果は、同様である。
【０１１４】
（実施の形態２）
以下、本発明の実施の形態２について、図３を用いて説明する。図３は、高周波受信装置１２１のブロック図である。
【０１１５】
本実施の形態では、実施の形態１の少なくとも増幅器４３、混合器４５、発振器４８、増幅器４７を集積回路とし、この集積回路に設けられた入力端子１２３ｅとアンテナ２６が接続される入力端子１２３ａとの間に高周波増幅器１４１を接続している。なお、図３で使用した部品について、図１と同じものについては同一の番号を付して説明を簡略化している。
【０１１６】
図３において、高周波受信装置１２１は、高周波受信部１２３と、この高周波受信部１２３の出力が接続された復調部２４と、高周波受信部１２３を制御する受信品質制御部２５から構成されている。
【０１１７】
この高周波受信装置１２１は、携帯電話に搭載される場合には、小型化、低消費電力化が要求される。このため、高周波受信部１２３を構成する少なくとも増幅器４３、混合器４５、発振器４８、増幅器４７は集積回路化され、これにより低消費電力化を図っている。
【０１１８】
ところが、集積回路化により増幅器４３、混合器４５の雑音指数が悪くなってしまう。この雑音指数を改善するために、本実施の形態では、入力端子１２３ｅと入力端子１２３ａとの間には歪と雑音指数のよい高周波増幅器１４１を外付けしている。
【０１１９】
この高周波増幅器１４１は、例えば利得を１０ｄＢｍとして用いた場合について以下説明する。利得制御器５４、５６、６３の利得制御の設定は、実施の形態１と同様に設定している。
【０１２０】
このように構成された高周波受信装置１２１の動作は、実施の形態１と概略同じであるので、同様の部分について簡略化し、相違する部分のみ図３、表１に基づいて説明する。
【０１２１】
表１において、受信条件である希望信号および妨害信号は、高周波増幅器１４１により１０ｄＢｍ増幅されて、フィルタ４２に入力されることになる。従って、本実施の形態における混合器４５から出力される信号レベルは、実施の形態１と同様とできる。
【０１２２】
なお、利得制御器５６への入力は、フィルタ５０からの出力信号を供給してもよい。このフィルタ５０により妨害信号を抑圧できるので、この妨害信号による利得制御への影響を少なくできる。
【０１２３】
表１において、増幅器４３、４７、５８が制御されるそれぞれの利得制御電圧が入力される受信品質検出器６９により、受信条件Ａ〜Ｆ、Ｄ１、Ｆ１の判定が可能となる。
【０１２４】
この受信条件Ａでは、希望信号とともに大きな妨害信号が入力端子１２３ａに入力される。この大きな妨害信号により、例えば高周波増幅器１４１、増幅器４３、混合器４５では歪が発生し、受信品質が損なわれる。
【０１２５】
また、受信条件Ｄでは、大きな希望信号が入力端子１２３ａに入力される。この大きな希望信号により、例えば高周波増幅器１４１、増幅器４３、混合器４５で歪が発生し、受信品質が損なわれる。
【０１２６】
これら受信条件Ａ、Ｄに対して、受信品質検出器６９からの信号が入力される電流制御器６７により、少なくとも高周波増幅器１４１、増幅器４３、混合器４５、発振器４８のいずれかの電流値をＴＹＰ値より大きく設定する。これにより、高周波増幅器１４１、増幅器４３、混合器４５の歪を小さくできるので、受信品質の改善が可能となる。
【０１２７】
さらに、受信条件Ｆ１では、入力端子１２３ａには、微弱な希望信号が入力される。この場合、希望信号は、Ｃ／Ｎが劣化しているので、高周波受信部１２３の雑音指数が受信感度に悪い影響を与える。
【０１２８】
この受信条件Ｆ１に対して、受信品質検出器６９からの信号が入力される電流制御器６７により、少なくとも高周波増幅器１４１、増幅器４３、混合器４５、発振器４８のいずれかの電流値をＴＹＰ値より大きく設定する。これにより、高周波増幅器１４１、増幅器４３、混合器４５の雑音指数を改善することができるので、受信感度の改善が可能となる。
【０１２９】
これに対して、受信条件Ｅでは、入力端子１２３ａには、最適な入力レベルの希望信号が入力されるので、受信状態が良好である。このため、受信品質検出器６９からの信号が入力される電流制御器６７により、少なくとも高周波増幅器１４１、増幅器４３、混合器４５のいずれかの電流値をＴＹＰ値より小さくすることができる。
【０１３０】
以上のように、受信品質検出器６９では、利得制御電圧を用いて受信条件を判定することができる。この利得制御電圧は、移動受信中において受信条件が変化した場合であっても追従性が非常に良好である。このため、受信品質検出器６９では、例えば、刻々と受信状況が変化する高速移動中であっても瞬時に受信条件の判定が可能となる。
【０１３１】
このようにして、受信条件に応じて、強電界での妨害特性を改善し、弱電界での受信感度を改善し、さらに低消費電力化を実現できる高周波受信装置１２１を提供できる。
【０１３２】
なお、電流制御器６７に入力される判定信号は、受信品質検出器６９からの判定信号だけでなく、ＢＥＲ判定器６６からの判定信号の両方を用いてもよい。これにより、受信条件の判定の精度を向上できる。
【０１３３】
さらに、利得制御器５４、５６、６３と受信品質検出器６９との間に電圧をデジタルに変換するＤＡ変換器（デジタルアナログ変換器）を挿入し（図示せず）、このＤＡ変換器から出力されるデジタル値をＩ２Ｃバスラインにより信号処理をしてもよい。この場合、共通のＩ２Ｃバスラインにより信号処置が可能となるので、配線が簡単になる。
【０１３４】
さらになお、本発明の実施の形態では、一例としてデジタル用復調器６１からのＢＥＲをＢＥＲ判定器６６に入力して用いたが、ＢＥＲ判定器６６の代わりにＣ／Ｎ値を判定できるＣ／Ｎ判定器（図示せず）を用い、このＣ／Ｎ判定器に対してデジタル用復調器６１からのＣ／Ｎ値を入力してもよい。
【０１３５】
なお、高周波受信部１２３では、混合器４５をシングルスーパとして用いたが、ダイレクトコンバージョンとして用いても、同様である。すなわち、混合器４５をＩ、Ｑ信号用の２つの混合器とし、これらＩ、Ｑ信号用の混合器の他方の入力には、発振器４８からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる、つまり、低周波での信号処理となるので、集積回路化が容易となる。また、他の信号との干渉が発生しにくい。
【０１３６】
さらに、本発明の実施の形態では、一例としてデジタル方式のテレビ放送信号を受信する場合について説明したが、アナログ方式のテレビ放送信号を受信する場合においても同様である。すなわち、デジタル用の復調部２４の代わりにアナログ用の復調部２４ｃ（図示せず）を用い、ＢＥＲ判定器６６の代わりにＳ／Ｎ判定器を使用する。そして、アナログ用の復調部のＳ／Ｎ検出信号をＳ／Ｎ判定器に入力し、このＳ／Ｎ判定器の判定信号を電流制御器６７に入力することにより、同様の効果が得られる。
【０１３７】
このように、受信条件として、デジタル放送信号とアナログ放送信号の信号レベルの大小関係だけでなく、アナログ放送信号同士あるいは、デジタル放送信号同士での大小関係においても、本実施の形態の効果は、同様である。
【産業上の利用可能性】
【０１３８】
本発明にかかわる高周波受信装置では、大きな妨害信号のある強電界エリア、弱電界エリアを受信品質検出器で判定し、この判定信号により高周波受信部の電流値を制御して低消費電力化を実現できる。特に、利得制御電圧を用いて受信条件を判定するので、移動受信用の高周波受信装置等に最適である。
【図面の簡単な説明】
【０１３９】
【図１】本発明の実施の形態１における高周波受信装置のブロック図
【図２】同、希望信号、妨害信号とＢＥＲの関係を表す図
【図３】本発明の実施の形態２における高周波受信装置のブロック図
【図４】従来例における高周波受信装置のブロック図
【符号の説明】
【０１４０】
２３ａ  入力端子
２３ｂ  出力端子
４３  増幅器
４５  混合器
４７  増幅器
４８  発振器
５４  利得制御器
５６  利得制御器
６７  電流制御器
６９  受信品質検出器
【図１】
2008160788.tif 000004
【図２】
2008160788.tif 000005
【図３】
2008160788.tif 000006
【図４】
2008160788.tif 000007